【事件の表示】
　特許第３０２８９１１号「パチンコ遊技機」の請求項１及び請求項２に係る特許に対する特許異議の申立てについて、次のとおり決定する。
【結　論】
　訂正を認める。
　特許第３０２８９１１号の請求項１及び請求項２に係る特許を維持する。
【理　由】
１．手続きの経緯
　特許第３０２８９１１号の請求項１及び請求項２に係る発明は、平成４年１１月１１日に出願された特願平４−３２５９５５号を分割して、平成６年６月２３日に特願平６−１６５９１１号として出願したものであって、平成１２年２月４日に特許権の設定登録がなされ、その後、その特許について、町田彬より特許異議の申立てがなされ、取消しの理由が通知され、その指定期間内である平成１３年１２月１０日に訂正請求がなされたものである。
２．訂正の適否についての判断
（１）訂正の内容
ア．訂正事項ａ
  特許請求の範囲における【請求項１】を「複数の図柄を予め決められた順序で変動表示できる複数の表示器を備え、これらの表示器の図柄が変動後に所定の順序で停止表示し、特賞となる図柄の組合せで停止表示したとき特賞となるパチンコ遊技機であって、最後に停止表示する表示器の図柄変動に対応して変動表示する確率表示手段（４０、５５）を設け、最後に停止表示する表示器の停止図柄によって特賞となる可能性があるとき、最後に停止表示する表示器の図柄を変動表示すると共に、その図柄に対応して、特賞となる図柄に近付いてきたことと遠ざかることを、前記確率表示手段（４０、５５）で報知することを特徴とするパチンコ遊技機。」と訂正する。
イ．訂正事項ｂ
　願書に添付した明細書（以下、「特許明細書」という。）の段落番号【０００４】の【課題を解決するための手段】を「請求項１のパチンコ遊技機は、複数の図柄を予め決められた順序で変動表示できる複数の表示器を備え、これらの表示器の図柄が変動後に所定の順序で停止表示し、特賞となる図柄の組合せで停止表示したとき特賞となり、最後に停止表示する表示器の図柄変動に対応して変動表示する確率表示手段（４０、５５）を設け、最後に停止表示する表示器の停止図柄によって特賞となる可能性があるときには、最後に停止表示する表示器の図柄を変動表示すると共に、その図柄に対応して、特賞となる図柄に近付いてきたことと遠ざかることを、前記確率表示手段（４０、５５）で報知するものである。このパチンコ遊技機は、例えば、表示器Ｌ１、Ｌ２、Ｌ３で構成したとき、表示器Ｌ１、Ｌ２が順次変動停止して、最後に停止表示する図柄表示器Ｌ３の停止図柄で特賞となる可能性があるときには、図柄表示器Ｌ３の図柄を変動表示すると共に、確率表示手段（４０、５５）は、最後に停止表示する図柄表示器Ｌ３の図柄に対応して、特賞となる図柄に近付いてきたことと遠ざかることを報知して、遊技者に期待感と不安感が入り交じった状態を奏する。」と訂正する。
ウ．訂正事項ｃ
　特許明細書の段落番号【００１５】の【発明の効果】を「請求項１のパチンコ遊技機は、最後に停止表示する図柄表示器の停止図柄で特賞となる可能性があるときには、確率表示手段（４０、５５）には最後に停止表示する図柄表示器の図柄に対応して、特賞となる図柄に近付いてきたことと遠ざかることを報知するため、遊技者に期待感と不安感が入り交じった状態で遊技させることができて興趣の向上を図る。又、請求項２のパチンコ遊技機は、最後に停止表示する表示器の停止図柄によって特賞となる可能性があるときには、確率表示手段（６２）は特賞となる図柄を含む複数の図柄を報知するため、遊技者は特賞となる可能性の高低を知って遊技をすることができる。」と訂正する。
（２）訂正の目的の適否、新規事項の有無及び拡張・変更の存否
訂正事項ａについて
　特許明細書の段落番号【００１０】の「反対に、表示器Ｌ２の図柄が表示器ＬＩの図柄と一致した場合には、１１特賞の可能性があるので、遊技者の期待感を盛り上げる為に、表示器Ｌ３の図柄変更をゆっくりと時間をかけて行うと共に特賞する割合を表示器を構成する指示針２６を介して報知する。具体的な例で説明すると、表示器ＬＩ及び表示器Ｌ２の表示が共に「Ｊ」となった場合には、表示器Ｌ３が「Ｊ」となるか否かはアルファベットの順でもって予測が可能である。しかしながら、アルファベットの順序を知らない遊技者にとって、いつ「Ｊ」が表れるか判らなくて期待度が増さない。そこで、表示器ＬＩと表示器Ｌ２が同じ図柄となったとき、表示器Ｌ３に表れる図柄に対応して指示針２６を揺動する。即ち、表示器Ｌ３の図柄が表示器Ｌ１、Ｌ２と同じ図柄に近付いてきた場合には、指示針２６が特賞する割合の高いゾーンを示すようにする。具体的に例示すれば、表示器ＬＩ及び表示器Ｌ２が共に「Ｊ」で停止した場合に、表示器Ｌ３の図柄が「Ｗ」のときには、該「Ｗ」は「Ｊ」から１３番目で１番遠い位置であるので、指示針２６を黄色ゾーン３０ｃの左端を示し、「Ｘ」、「Ｙ」・・・と順次「Ｊ」に近付くに連れて指示針２６を右韓方向（澄ゾーン３０ｂ）に振らせ、「Ｊ」が表れたとき指示針２６は右端の赤ゾーン３０ａを示す。又、更に表示器Ｌ３が変動し、「Ｊ」を通りすぎて「Ｋ」、「Ｌ」・・・となるに従って左方向に振れ「Ｊ」から遠ざかって行ったことを示し、「Ｗ」が表れたとき指示針２６は左端を示し最も「Ｊ」から遠ざかった状態であることを示す。尚、表示器Ｌ１、Ｌ２、Ｌ３の図柄が一致した場合には特賞としもて対処し、指示針２６はその旨を表すために左右に揺動させたり、所定位置に停止させる。一方、表示器Ｌ３の図柄が停止して、特賞とならなかったときには、指示針２６は特定の位置で待機させる。」と記載されていることからみて、
  訂正事項ａによる訂正は、特許明細書に記載された事項の範囲内の訂正であり、特許請求の範囲の減縮および明りょうでない記載の釈明を目的とした明細書の訂正に該当するものであって、新規事項の追加に該当せず、実質上特許請求の範囲を拡張し又は変更するものでもない。新規事項の追加に該当せず、実質上特許請求の範囲を拡張し又は変更するものでもない。
訂正事項ｂ、ｃについて
　訂正事項ｂ、ｃによる訂正は、訂正後の特許請求の範囲の記載と、発明の詳細な説明との整合を図るための訂正であり、明りょうでない記載の釈明を目的とするものである。
（３）むすび
　以上のとおりであるから、上記訂正は特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書き、第２項及び第３項の規定に適合するので、当該訂正を認める。
３．特許異議の申立てについての判断
（１）特許異議申立ての理由の概要
　特許異議申立人町田彬は、甲第１号証（特願平３−１５５６４９号（特開平４−３５２９７７号公報））を提出して、請求項１に係る発明の特許は特許法第２９条の２の規定に違反してなされたものであるから、請求項１に係る発明の特許を取り消すべき旨を主張し、さらに、甲第２号証（特開平３−１０３２７５号公報）を提出して、請求項２に係る発明は、特許法第２９条第１項第３号の規定に違反してなされたものであるから、請求項２に係る発明の特許を取り消すべき旨を主張している。
（２）本件の請求項１に係る発明（以下、「本件発明１」という。）
　上記２．で示したように上記訂正が認められるから、本件発明１は、上記２．の訂正請求に係る訂正明細書の特許請求の範囲の請求項１に記載された事項により特定される次のとおりのものである。
「【請求項１】複数の図柄を予め決められた順序で変動表示できる複数の表示器を備え、これらの表示器の図柄が変動後に所定の順序で停止表示し、特賞となる図柄の組合せで停止表示したとき特賞となるパチンコ遊技機であって、最後に停止表示する表示器の図柄変動に対応して変動表示する確率表示手段（４０、５５）を設け、最後に停止表示する表示器の停止図柄によって特賞となる可能性があるとき、最後に停止表示する表示器の図柄を変動表示すると共に、その図柄に対応して、特賞となる図柄に近付いてきたことと遠ざかることを、前記確率表示手段（４０、５５）で報知することを特徴とするパチンコ遊技機。」
（３）甲第１号証の記載事項
　これに対し、当審において通知した取消しの理由で引用した特願平３−１５５６４９号（特開平４−３５２９７７号公報）の願書に最初に添付した明細書又は図面に記載された内容を示す甲第１号証（以下、「先願明細書」という。）には、「遊技領域３のほぼ中央には、本実施例において要部を構成し且つ特定遊技状態（以下、大当り遊技状態という）を生起せしめる可変表示装置３０が配置され、該可変表示装置３０の下方に大当り遊技状態時に所定の態様で駆動される可変入賞球装置４が配置されている。可変表示装置３０は、後に詳述するように、複数（３つ）の図柄列４９ａ〜４９ｃを変動表示させるドラム機構４０ａ〜４０ｃを有している。」（公報第２頁第２欄２９行〜同欄３６行）と記載され、「発射された打玉がいずれかの始動入賞口１２ａ〜１２ｃに入賞して始動入賞玉検出器１３ａ〜１３ｃをＯＮさせると、可変表示装置３０のドラム機構４０ａ〜４０ｃが変動表示を開始する。そして、所定時間（例えば、６秒）経過後にドラム機構４０ａ〜４０ｃが順次停止し、その停止時に表示される図柄の組合せが予め定めた図柄の組合せ（・・・）となったときに、大当り遊技状態となる。」（公報第３頁第３欄１２行〜同欄２０行）と記載され、「次にリーチ状態となったときの最終図柄列である中図柄列４９ｃの変動表示動作について図７を参照して説明する。・・・中図柄列４９ｃに図柄「７」が表示されたときに当り図柄の組合せとなるので、図柄Ｎｏ「０」が図柄列４９ｃにおける当り図柄となる。・・・しかして、図柄Ｎｏ「０」より遡って４つ前の図柄Ｎｏ「１４」に対応する図柄が当りライン上に来たときにＬＥＤ１が点灯し、３つ前の図柄Ｎｏ「１５」に対応する図柄が当りライン上に来たときにＬＥＤ２が点灯し、２つ前の図柄Ｎｏ「１６」に対応する図柄が当りライン上に来たときにＬＥＤ３が点灯し、１つ前の図柄Ｎｏ「１７」に対応する図柄が当りライン上に来たときにＬＥＤ４が点灯し、図柄Ｎｏ「０」に対応する図柄が当りライン上に来たときにＬＥＤ５が点灯すると共に、・・・単に最終図柄列４９ｃがゆっくりと回転制御されるだけでなく、当り図柄の変動表示に同期してＬＥＤ１〜ＬＥＤ５が点灯移動表示させることによって徐々に当り図柄が近付いて来たことが報知されると共に、当り図柄の変動表示に同期してスピーカ２５から効果音を発生させることによって当り図柄が当りライン上に表示されたことが報知される。」（公報第６頁第９欄２４行〜第１０欄１行）と記載されていることからみて、先願明細書には、「複数の図柄を予め決められた順序で変動表示できる複数の表示器を備え、これらの表示器の図柄が変動後に所定の順序で停止表示し、特賞となる図柄の組合せで停止表示したとき特賞となるパチンコ遊技機であって、最後に停止表示する表示器の図柄変動に対応して変動表示する確率表示手段を設け、最後に停止表示する表示器の停止図柄によって特賞となる可能性があるとき、最後に停止表示する表示器の図柄を変動表示すると共に、その図柄に対応して、特賞となる図柄に近付いてきたことを、前記確率表示手段で報知するパチンコ遊技機」の発明が記載されているものと認められる。　
（４）対比・判断
　本件発明１（前者）と先願明細書記載の発明（後者）とを対比すると、両者は、「複数の図柄を予め決められた順序で変動表示できる複数の表示器を備え、これらの表示器の図柄が変動後に所定の順序で停止表示し、特賞となる図柄の組合せで停止表示したとき特賞となるパチンコ遊技機であって、最後に停止表示する表示器の図柄変動に対応して変動表示する確率表示手段を設け、最後に停止表示する表示器の停止図柄によって特賞となる可能性があるとき、最後に停止表示する表示器の図柄を変動表示すると共に、その図柄に対応して、特賞となる図柄に近付いてきたことを、前記確率表示手段で報知するパチンコ遊技機」の構成において一致するが、後者には、前者の「その図柄に対応して、特賞となる図柄に近付いてきたことと遠ざかることを、前記確率表示手段で報知する」の構成は記載されていない。
　したがって、本件発明１は、甲第１号に記載の発明と同一であるとはいえない。
（５）本件の請求項２に係る発明（以下、「本件発明２という。」という。）
　本件発明２は、特許請求の範囲の請求項２に記載された事項により特定される次のとおりのものである。
「【請求項２】複数の図柄を予め決められた順序で変動表示できる複数の表示器を備え、これらの表示器の図柄が変動後に所定の順序で停止表示し、特賞となる図柄の組合せで停止表示したとき特賞となるパチンコ遊技機であって、最後に停止表示する表示器の停止表示可能な図柄を制御装置を介して報知する確率表示手段（６２）を設け、最後に停止表示する表示器の図柄を変動表示すると共に、特賞となる図柄を含む複数の図柄を前記確率表示手段（６２）で報知し、その確率表示手段（６２）で報知する複数の図柄は、少数であればあるほど特賞となる可能性が高く、その後、最後に停止表示する表示器には前記確率表示手段（６２）で報知した何れか１つの図柄を停止表示することを特徴とするパチンコ遊技機。」
甲第２号証の記載事項
　甲第２号証（特開平３−１０３２７５号公報）には、「組合せ表示装置２０においては、表示部２１ａ〜２１ｃに表示される図柄として「０」〜「９」までの数字と、「Ａ」〜「Ｇ」までの文字であり、可変表示後のそれぞれの表示が「同一数字」又は「選択された文字」であるときに大当り表示態様となって、変動入賞装置１４を前記した駆動態様で駆動する。」（第３頁右下欄１８行〜第４頁左上欄４行）と記載され、「この実施例においては、上記した複数の大当り表示態様に加えて、更に表示部２１ａ〜２１ｃに表示される表示態様によって大当りとなる組合せが用意されている。すなわち、３つの表示部２１ａ〜２１ｃのうち、所定の又は任意の２つの表示部に上記した複数の大当り表示態様のうち１種類の大当り表示態様が表示され、且つ残りの表示部に、遊技客が自分の意志で選択した図柄、すなわち選択図柄表示部２２で表示されている図柄と同一の図柄が表示された場合には、大当り状態と見なすようになっている。例えば、２つの表示部２１ａ、２１ｃに共に「７」が表示されているときに、残りの表示部２１ｂに選択された図柄「Ａ」が表示されたときにも大当り状態と判定される。」（第４頁左下欄１５行〜同頁右上欄５行）と記載されていることからみて、甲第２号証には、「複数の図柄を予め決められた順序で変動表示できる複数の表示器を備え、これらの表示器の図柄が変動後に所定の順序で停止表示し、特賞となる図柄の組合せで停止表示したとき特賞となるパチンコ遊技機であって、最後に停止表示する表示器の停止表示可能な図柄を制御装置を介して報知する確率表示手段（６２）を設け、最後に停止表示する表示器の図柄を変動表示するパチンコ遊技機」の発明が記載されているものと認められる。
（６）対比・判断
　本件発明２（前者）と甲第２号証に記載の発明（後者）とを対比すると、両者は、「複数の図柄を予め決められた順序で変動表示できる複数の表示器を備え、これらの表示器の図柄が変動後に所定の順序で停止表示し、特賞となる図柄の組合せで停止表示したとき特賞となるパチンコ遊技機であって、最後に停止表示する表示器の停止表示可能な図柄を制御装置を介して報知する確率表示手段を設け、最後に停止表示する表示器の図柄を変動表示するパチンコ遊技機」の構成において一致するが、後者には、前者の「特賞となる図柄を含む複数の図柄を前記確率表示手段で報知し、その確率表示手段で報知する複数の図柄は、少数であればあるほど特賞となる可能性が高く、その後、最後に停止表示する表示器には前記確率表示手段で報知した何れか１つの図柄を停止表示する」の構成は記載されていない。
　したがって、本件発明２は、甲第２号証に記載の発明であるとすることはできない。
  また、本件発明２は、甲第２号証に記載された発明に基づいて当業者が容易に発明をすることができたものとも認められない。
（７）むすび
　以上のとおりであるから、特許異議の申立ての理由によっては本件発明１及び本件発明２についての特許を取り消すことはできない。
　また、他に本件発明１及び本件発明２についての特許を取り消すべき理由を発見しない。
　したがって、本件発明１及び本件発明２についての特許は拒絶の査定をしなけらばならない特許出願に対してされたものとは認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年１月２４日（２００２．１．２４）
【訂正の要旨】
訂正の要旨
特許第３０２８９１１号発明の明細書を以下のとおり訂正する。
ア．訂正事項ａ
　特許請求の範囲における【請求項１】を「複数の図柄を予め決められた順序で変動表示できる複数の表示器を備え、これらの表示器の図柄が変動後に所定の順序で停止表示し、特賞となる図柄の組合せで停止表示したとき特賞となるパチンコ遊技機であって、最後に停止表示する表示器の図柄変動に対応して変動表示する確率表示手段（４０、５５）を設け、最後に停止表示する表示器の停止図柄によって特賞となる可能性があるとき、最後に停止表示する表示器の図柄を変動表示すると共に、その図柄に対応して、特賞となる図柄に近付いてきたことと遠ざかることを、前記確率表示手段（４０、５５）で報知することを特徴とするパチンコ遊技機。」と訂正する。
イ．訂正事項ｂ
　願書に添付した明細書（以下、「特許明細書」という。）の段落番号【０００４】の【課題を解決するための手段】を「請求項１のパチンコ遊技機は、複数の図柄を予め決められた順序で変動表示できる複数の表示器を備え、これらの表示器の図柄が変動後に所定の順序で停止表示し、特賞となる図柄の組合せで停止表示したとき特賞となり、最後に停止表示する表示器の図柄変動に対応して変動表示する確率表示手段（４０、５５）を設け、最後に停止表示する表示器の停止図柄によって特賞となる可能性があるときには、最後に停止表示する表示器の図柄を変動表示すると共に、その図柄に対応して、特賞となる図柄に近付いてきたことと遠ざかることを、前記確率表示手段（４０、５５）で報知するものである。このパチンコ遊技機は、例えば、表示器Ｌ１、Ｌ２、Ｌ３で構成したとき、表示器Ｌ１、Ｌ２が順次変動停止して、最後に停止表示する図柄表示器Ｌ３の停止図柄で特賞となる可能性があるときには、図柄表示器Ｌ３の図柄を変動表示すると共に、確率表示手段（４０、５５）は、最後に停止表示する図柄表示器Ｌ３の図柄に対応して、特賞となる図柄に近付いてきたことと遠ざかることを報知して、遊技者に期待感と不安感が入り交じった状態を奏する。」と訂正する。
ウ．訂正事項ｃ
　特許明細書の段落番号【００１５】の【発明の効果】を「請求項１のパチンコ遊技機は、最後に停止表示する図柄表示器の停止図柄で特賞となる可能性があるときには、確率表示手段（４０、５５）には最後に停止表示する図柄表示器の図柄に対応して、特賞となる図柄に近付いてきたことと遠ざかることを報知するため、遊技者に期待感と不安感が入り交じった状態で遊技させることができて興趣の向上を図る。又、請求項２のパチンコ遊技機は、最後に停止表示する表示器の停止図柄によって特賞となる可能性があるときには、確率表示手段（６２）は特賞となる図柄を含む複数の図柄を報知するため、遊技者は特賞となる可能性の高低を知って遊技をすることができる。」と訂正する。
（５４）【発明の名称】
パチンコ遊技機
（５７）【特許請求の範囲】
　【請求項１】　複数の図柄を予め決められた順序で変動表示できる複数の表示器を備え、これらの表示器の図柄が変動後に所定の順序で停止表示し、特賞となる図柄の組合せで停止表示したとき特賞となるパチンコ遊技機であって、
　最後に停止表示する表示器の図柄変動に対応して変動表示する確率表示手段（４０、５５）を設け、
　最後に停止表示する表示器の停止図柄によって特賞となる可能性があるとき、最後に停止表示する表示器の図柄を変動表示すると共に、
その図柄に対応して、
ことと
ることを、
　【請求項２】　複数の図柄を予め決められた順序で変動表示できる複数の表示器を備え、これらの表示器の図柄が変動後に所定の順序で停止表示し、特賞となる図柄の組合せで停止表示したとき特賞となるパチンコ遊技機であって、
　最後に停止表示する表示器の停止表示可能な図柄を制御装置を介して報知する確率表示手段（６２）を設け、
　最後に停止表示する表示器の停止図柄によって特賞となる可能性があるとき、最後に停止表示する表示器の図柄を変動表示すると共に、特賞となる図柄を含む複数の図柄を前記確率表示手段（６２）で報知し、その確率表示手段（６２）で報知する複数の図柄は、少数であるほど特賞となる可能性が高く、
　その後、最後に停止表示する表示器には前記確率表示手段（６２）で報知した何れか１つの図柄を停止表示することを特徴とするパチンコ遊技機。
【発明の詳細な説明】
　【０００１】
　【産業上の利用分野】
　本発明は、図柄合わせの図柄表示装置で特賞となるか否かの期待感を与えるパチンコ遊技機に関する。
　【０００２】
　【従来の技術】
　従来、パチンコ遊技機にはＬＥＤや液晶で図柄（数字、文字、模様等）を変動表示する複数の表示器で構成する図柄表示装置が備えられているものがある。例えば、遊技球が始動口に入賞することによって、前記各表示器の図柄の変動が開始され、設定時間経過後、或は遊技者によるストップ釦の操作によって、順次各表示器の図柄を停止して、特賞か否かを判断するものである。或は、遊技球が始動口に入賞することによって、前記各表示器の図柄の変動が開始され、設定時間経過後、或は遊技者によるストップ釦の操作によって、順次各表示器の図柄が停止するが、既に停止して表示された図柄が一致していないときには、特賞とならないため最後の表示器の図柄を早期に停止させる。しかし、同じ図柄で停止した場合には、特賞となる可能性が有るため、最後に停止させる表示器が示す図柄に遊技者は期待を持ちながら遊技を行っている。具体的な例を示せば、遊技球が始動口へ入賞すると、独立した３個の表示器（Ｌ１〜Ｌ３）は数字（０〜９）を変動表示し、所定時間後に順次或は同時に表示器Ｌ１、Ｌ２を停止させて、表示器Ｌ１、Ｌ２が異なる数字で停止したときには特賞とならないため表示器Ｌ３を比較的早く停止する。反対に、同じである場合には、期待感を抱かせながら最後の表示器Ｌ３の数字を停止させて、３個の表示器（Ｌ１、Ｌ２、Ｌ３）に表れる数字が全て同じである場合には、特賞として処理される。
　【０００３】
　【発明が解決しようとする課題】
　しかしながら、前記した様に独立した各表示器の図柄が特賞となるか否かの割合は何等遊技者に報知されない。例えば、２個の表示器の図柄が特賞となる組合せで揃った場合、最後の表示器の図柄によって特賞となるか否かは、遊技者にとって興味を引くものであるが、特賞となるかどうか皆目判らず、遊技の興趣を減少させている。
　そこで、本発明は遊技者に係る期待感を与えて遊技ができるようなパチンコ遊技機を提供するものである。
　【０００４】
　【課題を解決するための手段】
　請求項１のパチンコ遊技機は、複数の図柄を予め決められた順序で変動表示できる複数の表示器を備え、これらの表示器の図柄が変動後に所定の順序で停止表示し、特賞となる図柄の組合せで停止表示したとき特賞となり、
　最後に停止表示する表示器の図柄変動に対応して変動表示する確率表示手段（４０、５５）を設け、最後に停止表示する表示器の停止図柄によって特賞となる可能性があるとき
には、
その図柄に対応して、
ことと
ることを
　このパチンコ遊技機は、例えば、表示器Ｌ１、Ｌ２、Ｌ３で構成したとき、表示器Ｌ１、Ｌ２が順次変動停止して、最後に停止表示する図柄表示器Ｌ３の停止図柄で特賞となる可能性があるときには、図柄表示器Ｌ３の図柄を変動表示すると共に、確率表示手段（４０、５５）は、
最後に停止表示する図柄表示器Ｌ３の図柄に対応して、
ことと
ることを
　【０００５】
　請求項２のパチンコ遊技機は、複数の図柄を予め決められた順序で変動表示できる複数の表示器を備え、これらの表示器の図柄が変動後に所定の順序で停止表示し、特賞となる図柄の組合せで停止表示したとき特賞となり、最後に停止表示する表示器の停止表示可能な図柄を制御装置を介して報知する確率表示手段（６２）を設け、最後に停止表示する表示器の停止図柄によって特賞となる可能性があるとき、最後に停止表示する表示器の図柄を変動表示すると共に、特賞となる図柄を含む複数の図柄を前記確率表示手段（６２）で報知し、その確率表示手段（６２）で報知する複数の図柄は、少数であるほど特賞となる可能性が高く、その後、最後に停止表示する表示器には前記確率表示手段（６２）で報知した何れか１つの図柄を停止表示するものである。
　このパチンコ遊技機は、例えば、表示器Ｌ１、Ｌ２、Ｌ３で構成したとき、表示器Ｌ１、Ｌ２が順次変動停止して、最後に停止表示する図柄表示器Ｌ３の停止図柄で特賞となる可能性があるときには、図柄表示器Ｌ３の図柄を変動表示すると共に、確率表示手段（６２）には制御装置を介して特賞となる図柄を含む複数の図柄が報知され、その複数の図柄は少数であるほど特賞となる可能性が高いので、遊技者は特賞となる可能性の高低を知って遊技をすることができる。
　【０００６】
（実施例１）
　本発明の実施例を図を参照して説明する。図１は図柄表示装置１８を付設したパチンコ機の正面図、図２は表示器の正面図、図３は側断面図を示している。
１はパチンコ遊技機の前面枠であって、内側に金枠２が固着されている。この金枠２に開閉自在のガラス扉枠４が取り付けられている。又、該ガラス扉枠４の下部には前面板５が開閉自在に取り付けられていて、この前面板５には景品球を貯留し、且つ遊技球を発射位置に供給するための上皿６が固定されている。操作ハンドル７は上皿６の右下部に、又、上皿６から溢れた遊技球を貯留する下皿８がハンドル７の左部に各々配設されている。前面枠１の裏面には各種の入賞口を備えた遊技板９が取り付けられていて、普通入賞口１０〜１４、後述する図柄表示装置１８の表示器（Ｌ１〜Ｌ３）の図柄を変動させる始動口１５〜１７が適宜、配設されている。又、大入賞口１９は図柄表示装置１８の下部に配設されていて、前記図柄表示装置１８で特賞となったとき、一定時間開状態を維持し遊技球を受け入れる。具体的には、特賞のときには大入賞口１９は所定時間（例えば３０秒）経過するまで開状態を維持するか、或はそれ以前に所定数（例えば１０個）の入賞球が発生するまで開状態を維持するように設定してある。又、その間にＶ入賞口２０に入賞があれば、上記動作を設定回数（例えば１６回）繰り返す。尚、遊技板９の裏面には、入賞球を処理する機構、景品球を払い出す機構、図柄表示装置１８の確率表示器の表示や各種ランプの点灯を制御する制御装置等が設けられているが、よく知られた機構であるため図示を省略する。
　【０００７】
　次に、図柄表示装置１８について図２及び図３（図２の断面図）を参照して説明する。図柄表示装置１８の頂部には普通入賞口１０が設けられていて、その下部にはモータ２３の回転軸２４に固着された連接体２９を介して左右に揺動する指示針２６が設けられている。又、３０は第２表示部であって、後記で詳述する指示針２６の揺動に対応する特賞の割合を指示するための色、図柄等が描かれていて、３０ａは特賞となる割合が高いゾーンで赤色、３０ｂは中間であって橙色、３０ｃは低いゾーンで黄色の色彩が塗ってある。更に、その下部には図示略の制御装置で表示制御される３個の表示器Ｌ１、Ｌ２、Ｌ３が配設されている。尚、指示針２６と第２表示部３０とで確率表示手段としてのアナログ式の確率表示器４０を構成し、３１ａ、３１ｂ、３１ｃは適宜時に点灯するランプである。
　【０００８】
　前記構成に基づく作用について説明する。尚、表示器Ｌ１、Ｌ２、Ｌ３に表示される図柄は数字の０から９とし、特賞は表示器Ｌ１、Ｌ２、Ｌ３の図柄が全て一致（特賞図柄を表示）したときとする。
　始動口１５〜１７の何れかに遊技球が入ると、図示略の制御装置を介して表示器Ｌ１、Ｌ２、Ｌ３の図柄を変動させ、一定時間経過後、表示器Ｌ１、表示器Ｌ２、表示器Ｌ３の順序で図柄を停止させる。表示器Ｌ２の図柄が表示器Ｌ１の図柄と一致しないときには、特賞となる可能性はないので表示器Ｌ３の図柄を早期に停止させて、次の始動口からの入賞球に対処する。
　反対に、表示器Ｌ２の図柄が表示器Ｌ１の図柄と一致した場合には、特賞となる可能性があるので、遊技者の期待感を盛り上げる為に、表示器Ｌ２の図柄が表示器Ｌ１の図柄と一致した時点で、モータ２３を介して指示針２６を特賞する割合に応じて振る。即ち、表示器Ｌ３の図柄変動中に特賞になる割合が１番高い場合には、指示針２６を赤ゾーン３０ａへ、２番目に高い場合には橙ゾーン３０ｂへ、１番低い場合には黄色ゾーン３０ｃへ振る。この確率表示器４０の指示針２６の動きによって、遊技者は特賞する可能性が表示器Ｌ３の変動中に判るので、興趣を増大させながら遊技をすることができる。尚、指示針２６を特賞する割合に応じて、例えば、確率が高い場合には激しく連続して揺動するように構成してもよい。
　【０００９】
（実施例２）
　図４、図５は他の確率表示手段としての確率表示器５５の例を示すものであって、前記した特賞の割合を指示針２６で指示するのとは異なって、デジタル表示で行い、他は同じであるため説明を省略する。図４は遊技中の図柄表示装置５０の正面図を示している。中央部に、図柄として数字の０〜９を表示する３個の表示器Ｌ１、Ｌ２、Ｌ３が縦に配列されていて、該表示器（Ｌ１〜Ｌ３）の左右には開閉可能な扉５３が設けられている。又、図５は扉５３を開いた状態を示し、周囲には特賞となる１番高い割合を示す赤ゾーン５５ａ、中間を示す橙ゾーン５５ｂ、低い場合の黄色ゾーン５５ｃに区分けして表示可能なランプを配列して構成するデジタル式の確率表示器５５である。
　始動口１５〜１７の何れかに遊技球が入ったときには、該表示器Ｌ１〜Ｌ３の表示内容を変動し、表示器Ｌ１、Ｌ２、Ｌ３の順序で停止される。表示器Ｌ１と表示器Ｌ２の図柄が一致しないときには、特賞の可能性はないため表示器Ｌ３の表示を早めに停止させる。
　反対に、表示器Ｌ１と表示器Ｌ２の図柄が一致した場合には、表示器（Ｌ１〜Ｌ３）の左右に開閉可能に設けられている扉５３、５３を開く。そして、前記したと同様に、変動中の表示器Ｌ３の図柄が特賞する割合が１番低い場合には黄色ゾーン５５ｃのランプを、中間の割合の時には橙ゾーン５５ｂのランプを、１番高い割合のときには赤ゾーン５５ａのランプを点灯する。このことによって、遊技者の興趣を増大させることができる。尚、各ゾーンには３個或は４個のランプが配設されているため、特賞の割合に応じて各ランプを適宜点灯するように構成してもよいことは前記と同様である。
　【００１０】
　次に、表示器Ｌ１、Ｌ２、Ｌ３に表示される図柄が麻雀に使用する「東、南、西、北、白、溌、中」や花札の各月に対する図柄、或はアルファベット文字の様に順序が予め決められたような図柄を使用する場合について説明する。尚、例として図柄はアルファベット文字とし、表示はＡ〜Ｚへ順次表れ、特賞は表示器Ｌ１、Ｌ２、Ｌ３の図柄が一致したとき（特賞図柄を表示）とする。
　始動口１５〜１７の何れかに遊技球が入ると、図示略の制御装置を介して表示器Ｌ１、Ｌ２、Ｌ３の図柄を変動させ、一定時間経過後、表示器Ｌ１、表示器Ｌ２、表示器Ｌ３の順序で図柄を停止させる。表示器Ｌ２の図柄が表示器Ｌ１の図柄と一致しないときには、特賞となる可能性がないので表示器Ｌ３の図柄を早期に停止させて、次の始動口からの入賞球に対処する。
　反対に、表示器Ｌ２の図柄が表示器Ｌ１の図柄と一致した場合には、特賞の可能性があるので、遊技者の期待感を盛り上げる為に、表示器Ｌ３の図柄変更をゆっくりと時間をかけて行うと共に特賞する割合を表示器を構成する指示針２６を介して報知する。具体的な例で説明すると、表示器Ｌ１及び表示器Ｌ２の表示が共に「Ｊ」となった場合には、表示器Ｌ３が「Ｊ」となるか否かはアルファベットの順でもって予測が可能である。しかしながら、アルファベットの順序を知らない遊技者にとって、いつ「Ｊ」が表れるか判らなくて期待度が増さない。そこで、表示器Ｌ１と表示器Ｌ２が同じ図柄となったとき、表示器Ｌ３に表れる図柄に対応して指示針２６を揺動する。即ち、表示器Ｌ３の図柄が表示器Ｌ１、Ｌ２と同じ図柄に近付いてきた場合には、指示針２６が特賞する割合の高いゾーンを示すようにする。具体的に例示すれば、表示器Ｌ１及び表示器Ｌ２が共に「Ｊ」で停止した場合に、表示器Ｌ３の図柄が「Ｗ」のときには、該「Ｗ」は「Ｊ」から１３番目で１番遠い位置であるので、指示針２６を黄色ゾーン３０ｃの左端を示し、「Ｘ」、「Ｙ」…と順次「Ｊ」に近付くに連れて指示針２６を右方向（橙ゾーン３０ｂ）に振らせ、「Ｊ」が表れたとき指示針２６は右端の赤ゾーン３０ａを示す。又、更に表示器Ｌ３が変動し、「Ｊ」を通りすぎて「Ｋ」、「Ｌ」…となるに従って左方向に振れ「Ｊ」から遠ざかって行ったことを示し、「Ｗ」が表れたとき指示針２６は左端を示し最も「Ｊ」から遠ざかった状態であることを示す。尚、表示器Ｌ１、Ｌ２、Ｌ３の図柄が一致した場合には特賞として対処し、指示針２６はその旨を表すために左右に揺動させたり、所定位置に停止させる。一方、表示器Ｌ３の図柄が停止して、特賞とならなかったときには、指示針２６は特定の位置で待機させる。
　【００１１】
　又、前記した特賞の割合を指示針で指示するのとは異なって、図４、図５に示すデジタル表示でもって行う。
　始動口１５〜１７の何れかに遊技球が入ったときには、該表示器Ｌ１〜Ｌ３の表示内容を変動し、表示器Ｌ１、Ｌ２、Ｌ３の順序で停止される。表示器Ｌ１と表示器Ｌ２の図柄が一致しないときには、特賞はないため表示器Ｌ３の表示を早めに停止させる。
　反対に、表示器Ｌ１と表示器Ｌ２の図柄が共に「Ｊ」で一致した場合には、表示器（Ｌ１〜Ｌ３）の左右に開閉可能な扉５３、５３を開く。そして、前記したと同様に、表示器Ｌ３の図柄が「Ｗ」の時が「Ｊ」から最も遠ざかっているので黄色ゾーン５５ｃの端部のランプを点灯し、順次「Ｘ」、「Ｙ」…と「Ｊ」に近付くにつれて橙ゾーン５５ｂ、赤ゾーン５５ａへと点灯して行く。反対に、表示器Ｌ３の図柄が「Ｊ」を通過して「Ｋ」、「Ｌ」…となるにつれて赤ゾーン５５ａから橙ゾーン５５ｂへと順次ランプの消灯を行う。
　尚、前記した様に、特賞する割合を遊技者に報知することによって、一部の遊技者が知っている図柄を使用することなく、種々の図柄を使用することができる。又、遊技者が熟知していない図柄を選定した場合であっても、図柄の出現順序を図柄の一部に数字等を記入して遊技者に知らせることをする必要がない為、図柄の美観を向上させることができる。又、第２表示部の特賞する割合は３段階に限定するものではないし、表示器の個数や図柄は前記に限定するものではないし、特賞の条件も全ての図柄が一致する場合に限定するものではないことはいうまでもない。
　【００１２】
（実施例３）
　図６は、確率表示手段としての他の確率表示器６２を付設した図柄表示装置６０の正面図を示し、図柄表示装置６０の頂部には普通入賞口１０が設けられていて、その下部には確率表示器６２が設置してある。この確率表示器６２は、表示器（Ｌ１、Ｌ２、Ｌ３）の内、最後に変動停止する表示器Ｌ３が表すことができる図柄、本実施例では、数字０〜９に対して可能性があるため、各数字を示すランプ（６２ａ〜６２ｊ）が扇状に配列されているデジタル表示をなす。表示器Ｌ１、Ｌ２、Ｌ３は、図１に示す始動口１５、１６、１７の何れかに遊技球が入賞することによって、図示しない制御装置を介して、図柄（数字０〜９の何れかを表示）が変動を開始し、一定時間経過後に乱数等で決められた図柄を表示して、特賞であるかの判断をなす。
　次に、図７に示すフローチャートを参照して、制御装置（図示略）で前記構成の作用について説明する。
始動口１５、１６、１７の何れかに遊技球が入賞したか否かを判断し（ステップ１）、入賞したときには、表示器Ｌ１〜Ｌ３の各数字の変動を開始する（ステップ２）。そして、所定時間経過後に表示器Ｌ１の数字を停止する（ステップ３）。更に、前記ステップ３と同時でもよいが、所定時間経過後に表示器Ｌ２の数字を停止する（ステップ４）。次のステップ５では、前記表示器Ｌ１の数字と表示器Ｌ２の数字が一致しているかを判断し、一致しているときには次のステップ６へ進み、異なっているときには特賞とはならないため、早期に判断をなすステップ７へ進む。ステップ６では、最後に停止する表示器Ｌ３に表れる数字を確率表示器６２のランプ（６２ａ〜６２ｊ）に点灯表示する。例えば、表示器Ｌ１、Ｌ２が共に「７」のときは特賞となる可能性の組合せであるため、「７」（特賞図柄）を含んだ「３」と「５」と「７」の箇所のランプ（６２ｄ、６２ｆ、６２ｈ）を点滅する。これによって、遊技者は表示器Ｌ３で停止する数字「７」が、確率１／３であることを知りながら遊技をすることができる。又、遊技者は順次変動表示される表示器Ｌ３の数字と確率表示器６２の点滅ランプ（６２ｄ、６２ｆ、６２ｈ）と見比べながら遊技ができ、数字「３」を通過したとき安堵感と期待感を取得する。そして、次の数字「５」（ランプ６２ｆ）で停止するか否かの不安感を得る。そして、数字「５」を通過した瞬間に、遊技者は表示器Ｌ３で停止する数字が「７」である確率が大であることが判明し、特賞となることが予測できる。尚、前記表示器Ｌ３で表している数字に対応して、確率表示器のランプ（６２ａ〜６２ｊ）を順次点灯表示して行くように構成することもでき、遊技者はランプ（６２ａ〜６２ｊ）を見ながら特賞となるか、わくわくしながら遊技を行う。そして、ステップ７では所定時間経過後に表示器Ｌ３の数字を停止させる。次のステップ８では、表示器Ｌ１、Ｌ２、Ｌ３の停止した数字が、予め決められた数字の組合せと一致するか否かを判断し、一致したときには、ステップ９で特賞として、大入賞口１９を所定時間（例えば３０秒）経過するまで開状態を維持するか、或はそれ以前に所定数（例えば１０個）の入賞球が発生するまで開状態を維持する。反対に、前記ステップ８で表示器（Ｌ１〜Ｌ３）の図柄が一致しなかった（特賞とならない組合わせ）ときには、最初のステップ１に戻って、新たに、始動口１６、１７の何れかに遊技球が入賞したか否かを検出している。尚、前記において、確率表示器６２のランプ（６２ａ〜６２ｊ）には数字「３」、「５」及び「７」を点滅して特賞の確率を１／３としているが、他の個数のランプを点滅させて異なる確率とすることもできる。
　又、前記とは異なって図８に示すフローに従って制御装置を介して制御するように構成してもよい。即ち、始動口に入賞したか（ステップ１）を判断し、入賞したときには、表示器（Ｌ１〜Ｌ３）の図柄を変動して（ステップ２）、確率表示器６２に特賞となる割合を表す（ステップ３）。即ち、前記図７（ステップ６）と同じく、最後に停止する表示器Ｌ３に表れる数字を確率表示器６２のランプ（６２ａ〜６２ｊ）に点灯表示する。例えば、今回特賞となる可能性の組み合わせである「７」を含んだ「３」と「５」と「７」の箇所のランプ（６２ｄ、６２ｆ、６２ｈ）を点滅する。その後、順次に時間間隔をおいて、或は同時に表示器（Ｌ１〜Ｌ３）の図柄を停止する（ステップ４、５、６）。そして、ステップ７で特賞であるか否かを判断し、特賞のときには大入賞口１９を所定時間（例えば３０秒）経過するまで開状態を維持するか、或はそれ以前に所定数（例えば１０個）の入賞球が発生するまで開状態を維持する（ステップ８）。反対に、特賞とならなかったときには、ステップ１へ戻る。この様に、表示器（Ｌ１〜Ｌ３）の図柄が変動を開始した後に、最後に停止する表示器Ｌ３に表れる数字（その結果、特賞となる割合を知ることができる。）を表示するように構成しても、遊戯者に期待感を与えて遊戯をさせることができる。
　【００１３】
（実施例４）
　次に、図９は図柄表示装置６０ａに他の形式の確率表示手段としての確率表示器６３を配設したものであって、最後に変動停止する表示器（本実施例ではＬ３）に表される図柄を表示可能な３個のＬＥＤ等で形成される表示部６３ａ、６３ｂ、６３ｃで構成している。この表示部（６３ａ〜６３ｃ）は、図７に示すフローシートのステップ６の段階で、最後に停止する表示器Ｌ３に表れる数字を表示する。例えば、表示器Ｌ１、Ｌ２が共に、特賞となる組合せである「７」のとき、「７」を含んだ「３」と「５」と「７」を表示することによって、遊技者は表示器Ｌ３で停止する数字の確率を知ることができ、表示器Ｌ３の変動数字と見比べながら、期待感と不安感が入り交じった状態で遊技をすることができる。尚、表示部（６３ａ〜６３ｃ）の全てを使用することなく、２個を使用すれば、特賞は確率１／２となり、より特賞となることを遊技者に知らせることができるが、数字以外を表示して特賞とならない旨を知らせるように構成することもできる。尚、その他の制御は、制御装置を介して図７のフローチャートに従って行われる。又、図８に示すフローに従って制御することもできる。
　【００１４】
（実施例５）
　図１０は、図６の確率表示器６２と図９の確率表示器６３を組み合せた確率表示手段としての確率表示器６８を設置した図柄表示装置６０ｂである。即ち、ランプ（６２ａ〜６２ｊ）と表示部（６３ａ〜６３ｃ）を配置したものである。この確率表示器６８は、図７に示すフローシートのステップ６の段階で、表示部（６３ａ〜６３ｃ）に、最後に停止する表示器Ｌ３に表れる数字を表示する。例えば、表示器Ｌ１、Ｌ２が共に「７」のとき、「７」を含んだ「３」と「５」と「７」を表示する。そして、表示器Ｌ３に表す数字に対応して、確率表示器のランプ（６２ａ〜６２ｊ）を順次点灯して行くことによって、前記したと同様に、遊技者は安堵感と期待感を味わうことができる。尚、ステップ６以外は、図７のフローチャートに従って行われる。又、図８に示すように制御することもできる。
　尚、前記実施例は、３個の表示器（Ｌ１〜Ｌ３）で構成する図柄表示装置において、２個の表示器（Ｌ１、Ｌ２）が停止して特賞となる可能性がある図柄で停止したときに、確率表示器で特賞となる割合を示したものであるが、遊技球が始動口に入賞した時に、特賞となる割合を確率表示器に表すように構成することもでき、遊戯者に同じ様な期待感を与えることができる。又、１個の表示器で構成する図柄表示装置を備えたパチンコ遊技器は、当然に、遊技球が始動口に入賞したとき、確率表示器に特賞となる割合を示し、遊技者に対して同様の効果を与えることができるのは言うまでもない。又、前記の何れの実施例において、特賞となる前の段階で、確率表示器には表示器Ｌ１、Ｌ２の図柄を含むように表示したり、或はアナログ式においても何等かの確率がある場合について説明したが、特賞となる確率がゼロとなる様に、即ち、デジタル式確率表示器においては表示器（Ｌ１〜Ｌ３）に含まれない図柄を表示したり、アナログ式確率表示器においては指示針を振らない状態とする様に構成してもよい。
　【００１５】
　【発明の効果】
　請求項１のパチンコ遊技機は、最後に停止表示する図柄表示器の停止図柄で特賞となる可能性があるときには、確率表示手段（４０、５５）
には最後に停止表示する図柄表示器の図柄に対応して、
ことと
ることを
　又、請求項２のパチンコ遊技機は、最後に停止表示する表示器の停止図柄によって特賞となる可能性があるときには、確率表示手段（６２）は特賞となる図柄を含む複数の図柄を報知するため、遊技者は特賞となる可能性の高低を知って遊技をすることができる。
【図面の簡単な説明】
　【図１】
　パチンコ機の正面図である。
　【図２】
　図柄表示装置の正面図である。
　【図３】
　図２の断面図である。
　【図４】
　他の図柄表示装置の正面図である。
　【図５】
　図４の図柄表示装置の扉を開いた状態の正面図である。
　【図６】
　他の図柄表示装置の正面図である。
　【図７】
　制御装置で制御するフローチャートである。
　【図８】
　制御装置で制御する他のフローチャートである。
　【図９】
　他の図柄表示装置を示す図である。
　【図１０】
　他の図柄表示装置を示す図である。
　【符号の説明】
１５、１６、１７　始動口
１８、５０、６０、６０ａ、６０ｂ　図柄表示装置
２６　指示針
３０（３０ａ、３０ｂ、３０ｃ）　第２表示部
４０、５５、６２、６３、６８　確率表示器（確率表示手段）
６２ａ〜６２ｊ　ランプ
６３ａ〜６３ｃ　表示部
Ｌ１〜Ｌ３　表示器